(57)【要約】波動歯車装置の外歯車の歯筋の中央にとった主断面において、外歯車の内歯車に対する歯のかみ合いをラックかみ合いとみなした場合に得られる外歯車の歯の内歯車の歯に対するκ＝１の移動軌跡（Ｍｃ）に基づいて、内歯車の歯末の歯形、外歯車の歯末の歯形を式で与える。内歯車、外歯車の歯元の歯形を、相手歯車の歯末の歯形と干渉しない任意の歯形に設定する。外歯車の楕円形状の長軸両端部分において、撓みによって生じる曲げ応力と、負荷トルクによる引張り応力との重畳を避け、波動歯車装置の伝達トルク容量を向上できる。
2017094195.tif 000002
【特許請求の範囲】
【請求項１】
剛性の内歯車と、この内側に同軸状に配置された可撓性の外歯車と、この内側に嵌めた波動発生器とを有し、  前記外歯車は前記波動発生器によって楕円状に撓められ、楕円状に撓められた前記外歯車の外歯は、その長軸方向の両端部分の近傍において前記内歯車の内歯にかみ合っており、  前記内歯車および、楕円状に変形する前の前記外歯車は共にモジュールｍの平歯車であり、  前記外歯車の歯数は、ｎを正の整数とすると、前記内歯車の歯数より２ｎ枚少なく、  前記外歯の歯筋方向の所定の位置の軸直角断面における前記外歯車の楕円状のリム中立曲線における長軸位置において、その撓み前のリム中立円に対する半径方向撓み量は、κを偏位係数とすると、２κｍｎであり、前記外歯の歯筋方向の所定の位置に設定した軸直角断面を主断面とすると、当該主断面の偏位係数κ＝１であり、その半径方向撓み量はｍｎであり、  前記主断面において、前記外歯車の前記内歯車に対する歯のかみ合いをラックかみ合いとみなした場合に得られる前記外歯車の歯の前記内歯車の歯に対するκ＝１の移動軌跡に基づいて、  前記内歯車の歯末の歯形が次の式ａ（式ａ）ｘＣａ＝０．２５ｍｎ（π＋θ−ｓｉｎθ）ｙＣａ＝０．５ｍｎ（−１＋ｃｏｓθ）    但し、０  ≦  θ  ≦  πで与えられており、  前記外歯車の歯末の歯形が次の式ｂ（式ｂ）ｘＦａ＝０．２５ｍｎ（π−θ＋ｓｉｎθ−εｃｏｓ（θ／２））ｙＦａ＝０．５ｍｎ（１―ｃｏｓθ）    但し、０  ＜  ε  ≦  ０．１          ０  ≦  θ  ≦  πで与えられており、  前記内歯車および前記外歯車の歯元の歯形は、相手歯車の歯末の歯形と干渉しない任意の歯形に設定されている波動歯車装置。
【請求項２】
請求項１において、  前記内歯車の歯元の最大歯厚の歯形は次の式ｃ（式ｃ）ｘＣａ＝０．２５ｍｎ（π−θ＋ｓｉｎθ）ｙＣａ＝０．５ｍｎ（１−ｃｏｓθ）    但し、０  ≦  θ  ≦  πで与えられており、  前記外歯車の歯元の最大歯厚の歯形は次の式ｄ（式ｄ）ｘＦａ＝ｍｎ（π／２−ε／２―０．２５（π−θ＋ｓｉｎθ−εｃｏｓ（θ／２）））ｙＦａ＝０．５ｍｎ（１−ｃｏｓθ）    但し、０  ＜  ε  ≦  ０．１          ０  ≦  θ  ≦  πで与えられている波動歯車装置。
【請求項３】
請求項１において、  前記内歯車の歯末の歯形が、その歯筋方向の各軸直角断面において、前記の式ａによって規定され、  前記外歯車の歯末の歯形が、その歯筋方向の各軸直角断面において、前記の式ｂによって規定されている波動歯車装置。
【請求項４】
請求項１において、  前記外歯車は、可撓性の円筒状胴部と、この円筒状胴部の後端から半径方向に延びているダイヤフラムとを備え、前記円筒状胴部の前端開口の側の外周面部分に、前記外歯が形成されており、  前記外歯の撓み量は、その歯筋方向に沿って、前記ダイヤフラムの側の外歯内端部から前記前端開口の側の外歯開口端部に向けて、前記ダイヤフラムからの距離に比例して変化しており、  前記主断面は、前記外歯における前記外歯開口端部と前記外歯内端部の間の歯筋方向の中央の位置であり、  前記主断面における前記外歯車の歯形は、前記の式ｂによって規定される歯末の歯形を含み、  前記外歯車における歯筋方向の前記主断面以外の各軸直角断面の歯形は、前記主断面の歯形に対して各軸直角断面の前記撓み量に応じた転位が施された転位歯形であり、  前記外歯車の前記主断面から前記外歯開口端部に至る歯筋方向の各軸直角断面の歯形は、各軸直角断面における歯形が描くκ＞１の前記移動軌跡の頂部が、前記主断面におけるκ＝１の前記移動軌跡の頂部に接するように、前記主断面の歯形に転位を施すことによって得られたものであり、  前記外歯の前記主断面から前記外歯内端部に至る歯筋方向の各軸直角断面の歯形は、各軸直角断面における歯形が描くκ＜１の前記移動軌跡の底部が前記主断面におけるκ＝１の前記移動軌跡の底部に接するように、前記主断面の歯形に転位を施すことによって得られたものである波動歯車装置。
【請求項５】
請求項４において、  前記外歯車の前記主断面から前記外歯開口端部に至る歯筋方向の各軸直角断面の歯形は、前記主断面の歯形に対して、次式で与えられる転位が施されており、  ｈ＝κｃｏｓθκ−ｃｏｓθ１  ここに、θκ、θ１は連立方程式（１−κｃｏｓθκ）／κｓｉｎθκ  −  （１−ｃｏｓθ１）／ｓｉｎθ１  ＝０θκ  −  κｓｉｎθκ  −  θ１＋ｓｉｎθ１＝０の解である波動歯車装置。
【請求項６】
請求項５において、  前記外歯車の前記主断面から前記外歯内端部に至る歯筋方向の各軸直角断面の歯形は、前記主断面の歯形に対して、次式ｈ＝κ−１で与えられる転位が施されている波動歯車装置。
【発明の詳細な説明】
【技術分野】
【０００１】  本発明は、波動発生器によって可撓性の外歯車が楕円状に撓められて剛性の内歯車に対して部分的にかみ合う波動歯車装置に関する。さらに詳しくは、外歯車の楕円状形状の長軸両端部分において、撓みによって生じる曲げ応力と、内歯車とのかみ合いによる負荷トルクに起因する引張り応力との重畳を避けて、伝達トルク容量の向上を図った波動歯車装置に関する。
【背景技術】
【０００２】  一般に、波動歯車装置は、剛性の内歯車と、この内側に同軸に配置された可撓性の外歯車と、この内側に嵌めた波動発生器とを有している。フラット型の波動歯車装置は、可撓性の円筒の外周面に外歯が形成された外歯車を備えている。カップ型およびシルクハット型の波動歯車装置の外歯車は、可撓性の円筒状胴部と、この円筒状胴部の後端から半径方向に延びているダイヤフラムと、円筒状胴部の前端開口側の外周面部分に形成した外歯とを備えている。典型的な波動歯車装置では、円形の外歯車が波動発生器によって楕円状に撓められ、楕円状に撓められた外歯車における長軸方向の両端部分が内歯車にかみ合う。【０００３】  波動歯車装置は、創始者Ｃ．Ｗ．Ｍｕｓｓｅｒ氏の発明（特許文献１）以来、今日まで同氏を始め、本発明者を含め多くの研究者によって本装置の各種の発明考案がなされている。その歯形に関する発明に限っても、各種のものがある。本発明者は、特許文献２において基本歯形をインボリュート歯形とすることを提案し、特許文献３、４において、内歯車と外歯車の歯のかみ合いをラックかみ合いで近似する手法を用いて広域接触を行う両歯車の歯末歯形を導く歯形設計法を提案している。【０００４】  波動歯車装置において、可撓性の外歯車は波動発生器によって真円状態から楕円状に撓められるので、その楕円状形状の長軸の両端部分には、撓みによって曲げ応力が生じる。また、楕円状に撓められた外歯車は、その長軸の両端部分において内歯車にかみ合うので、かみ合い部分を介して伝達される負荷トルクに起因する引張り応力が生じる。このため、外歯車の長軸両端部分（歯底リムの部分）には、双方の応力が重畳して大きな応力が作用する。特に、両歯車の歯数が少ない低速比の波動歯車装置の場合には、外歯車の長軸位置での撓み量が大きいので、楕円状の変形に伴って大きな曲げ応力が生じる。よって、波動歯車装置の伝達トルク容量の向上を図るためには、外歯車の長軸両端部分に生じる応力を低減することが必要である。【０００５】  従来においては、外歯車の長軸両端部分に生じる応力を低減するために、外歯車を楕円状に変形させたときの半径方向の最大撓み量（長軸位置における半径方向撓み量）を、標準である正規撓み量ｍｎよりも小さな撓み量κｍｎ（κ＜１）に設定している。ここで、ｎは正の整数であり、両歯車の歯数差は２ｎ枚である。ｍは両歯車のモジュールである。また、κは偏位係数（あるいは、撓み係数）と呼ばれる係数であり、半径方向撓み量がκ＝１の撓み量ｍｎ（正規撓み量）の場合を無偏位撓みと呼び、ｍｎよりも少ない半径方向撓み量κｍｎ（κ＜１）の場合を負偏位撓みと呼び、ｍｎよりも大きい半径方向撓み量κｍｎ（κ＞１）の場合を正偏位撓みと呼ぶ。【０００６】  外歯車を負偏位撓みに設定することにより、外歯車の長軸両端部分に生じる楕円状の変形に伴う曲げ応力を低減している。また、外歯車を負偏位撓みにすることで、外歯車の内歯車に対するかみ合い中心を長軸両端位置からずらすことにより、外歯車の長軸両端部分に生じる負荷トルクに起因する引張り応力を低減している。このように、負偏位撓みに設定することにより、外歯車の長軸両端部分において、撓みに起因する曲げ応力を低減し、また、���げ応力と引張り応力の重畳を回避している。負偏位撓みに設定した波動歯車装置は、例えば、特許文献５、６において本発明者によって提案されている。
【先行技術文献】
【特許文献】
【０００７】
【特許文献１】米国特許第２９０６１４３号明細書
【特許文献２】特公昭４５−４１１７１号公報
【特許文献３】特開昭６３−１１５９４３号公報
【特許文献４】特開昭６４−７９４４８号公報
【特許文献５】特許第４６５０９５４号公報
【特許文献６】特許第４１６５８１０号公報
【発明の概要】
【発明が解決しようとする課題】
【０００８】  ここで、波動歯車装置において、その両歯車の歯たけは撓み量に関係し、半径方向撓み量を正規撓み量（＝ｍｎ、κ＝１）より小さな負偏位撓み（κｍｎ、κ＜１）にすると、歯たけが小さくなり、高負荷トルク時にラチェティング（歯飛び現象）が発生するおそれがある。ラチェティングを防止するためには、両歯車の歯たけをできるだけ大きくする必要がある。【０００９】  このような観点から、撓み量を小さくせずに正規撓み量のまま、楕円状に変形した外歯車の長軸両端部分に生じる曲げ応力と引張り応力との重畳を分離できることが望ましい。しかしながら、外歯車における長軸両端部分に生じる曲げ応力と引張り応力との重畳を積極的に分離する考案については本格的な検討はなされてこなかった。【００１０】  本発明の課題は、外歯車の長軸両端部分に生じる曲げ応力と引張り応力との重畳を、外歯車の撓み量（歯筋方向の各位置における撓み量の平均撓み量）を正規撓み量よりも小さくすることなく回避できる波動歯車装置を提供することにある。
【課題を解決するための手段】
【００１１】  上記の課題を解決するために、本発明では、波動歯車装置の可撓性の外歯車の歯形に所要の修正を施すことによって２応力（曲げ応力と引張り応力）の分離を実現する。【００１２】  すなわち、本発明の波動歯車装置は、  剛性の内歯車と、この内側に同軸状に配置された可撓性の外歯車と、この内側に嵌めた波動発生器とを有し、  前記外歯車は前記波動発生器によって楕円状に撓められ、楕円状に撓められた前記外歯車の外歯は、その長軸方向の両端部分の近傍において前記内歯車の内歯にかみ合っており、  前記内歯車および、楕円状に変形する前の前記外歯車は共にモジュールｍの平歯車であり、  前記外歯車の歯数は、ｎを正の整数とすると、前記内歯車の歯数より２ｎ枚少なく、  前記外歯の歯筋方向の所定の位置の軸直角断面における前記外歯車の楕円状のリム中立曲線における長軸位置において、その撓み前のリム中立円に対する半径方向撓み量は、κを偏位係数とすると、２κｍｎであり、前記外歯の歯筋方向の所定の位置に設定した軸直角断面を主断面とすると、当該主断面は偏位係数κ＝１の無偏位撓みの断面であり、  前記主断面において、前記外歯車の前記内歯車に対する歯のかみ合いをラックかみ合いとみなした場合に得られる前記外歯車の歯の前記内歯車の歯に対するκ＝１の移動軌跡に基づいて、  前記内歯車の歯末の歯形が次式ａで規定され、（式ａ）ｘＣａ＝０．２５ｍｎ（π＋θ−ｓｉｎθ）ｙＣａ＝０．５ｍｎ（−１＋ｃｏｓθ）    但し、０≦θ≦π  前記外歯車の歯末の歯形が次式ｂで規定されており、（式ｂ）ｘＦａ＝０．２５ｍｎ（π−θ＋ｓｉｎθ−εｃｏｓ（θ／２））ｙＦａ＝０．５ｍｎ（１―ｃｏｓθ）    但し、０＜ε≦０．１          ０≦θ≦π  前記内歯車および前記外歯車のそれぞれの歯元の歯形は、相手歯車の前記歯末の歯形と干渉しない任意の歯形に設定されていることを特徴としている。【００１３】  ここで、フラット型波動歯車装置の場合には、前記内歯車の歯末の歯形が、その歯筋方向の各軸直角断面において、前記の式ａによって規定され、前記外歯車の歯末の歯形が、その歯筋方向の各軸直角断面において、前記の式ｂによって規定される。【００１４】  カップ型波動歯車装置あるいはシルクハット型波動歯車装置の場合には、前記外歯車は、可撓性の円筒状胴部と、この円筒状胴部の後端から半径方向に延びているダイヤフラムとを備え、前記円筒状胴部の前端開口の側の外周面部分に、前記外歯が形成されており、前記外歯の撓み量は、その歯筋方向に沿って、前記ダイヤフラムの側の外歯内端部から前記前端開口の側の外歯開口端部に向けて、前記ダイヤフラムからの距離に比例して変化し、前記主断面は、前記外歯における前記外歯開口端部と前記外歯内端部の間の歯筋方向の中央の位置とされる。【００１５】  この場合、前記主断面における前記外歯車の歯形は、前記の式ｂによって規定される歯末歯形によって規定される。前記外歯車における歯筋方向の前記主断面以外の各軸直角断面の歯形は、前記主断面の歯形に対して各軸直角断面の前記撓み量に応じた転位が施された転位歯形である。具体的には、前記外歯車の前記主断面から前記外歯開口端部に至る歯筋方向の各軸直角断面の歯形は、各軸直角断面における歯形が描くκ＞１の前���移動軌跡の頂部が、前記主断面におけるκ＝１の前記移動軌跡の頂部に接するように、前記主断面の歯形に転位を施すことによって得られるものである。また、前記外歯車の前記主断面から前記外歯内端部に至る歯筋方向の各軸直角断面の歯形は、各軸直角断面における歯形が描くκ＜１の前記移動軌跡の底部が前記主断面におけるκ＝１の前記移動軌跡の底部に接するように、前記主断面の歯形に転位を施すことによって得られるものである。
【発明の効果】
【００１６】  本発明によれば、波動歯車装置の外歯車における偏位係数κ＝１の軸直角断面（主断面）上において、外歯車の楕円状のリム中立曲線の長軸位置に生じる、撓みによって生じる曲げ応力と、負荷トルクに起因する引張り応力との重畳を避けることができる。よって、フラット型波動歯車装置において偏位係数κ＜１の負偏位撓みを採用することなく、また、カップ型あるいはシルクハット型の波動歯車装置において、その歯筋方向の全体に亘って偏位係数κ＜１の負偏位撓みを採用することなく、波動歯車装置の伝達トルク容量の向上を図ることができる。
【図面の簡単な説明】
【００１７】
【図１】本発明を適用した波動歯車装置の一例を示す概略正面図である。
【図２】カップ形状およびシルクハット形状の外歯車の撓み状況を示す説明図であり、（ａ）は変形前の状態を示し、（ｂ）は楕円形に変形した外歯車の長軸を含む断面の状態を示し、（ｃ）は楕円形に変形した外歯車の短軸を含む断面の状態を示す。
【図３Ａ】外歯車の歯筋方向の外歯内端部（κ＜１）、主断面（κ＝１）、および外歯開口端部（κ＞１）において、外歯車の内歯車に対する歯に対するかみ合いをラックかみ合いで近似した場合に得られる外歯車の歯の内歯車の歯に対する移動軌跡を示すグラフである。
【図３Ｂ】転位を施した後の外歯車の歯筋方向の外歯内端部（κ＜１）、主断面（κ＝１）、および外歯開口端部（κ＞１）において、外歯車の内歯車に対する歯に対するかみ合いをラックかみ合いで近似した場合に得られる外歯車の歯の内歯車の歯に対する移動軌跡を示すグラフである。
【図４Ａ】内歯車の歯末の歯形を示す説明図である。
【図４Ｂ】外歯車の主断面における歯末の歯形を示す説明図である。
【図４Ｃ】内歯車の歯元の歯形の一例を示す説明図である。
【図４Ｄ】外歯車の歯元の歯形の一例を示す説明図である。
【図５】主断面における外歯車および内歯車の歯形を示す説明図である。
【図６】外歯車の歯筋方向における主断面付近の転位量の一例を示すグラフである。
【図７】転位が施された外歯車の歯筋方向の歯形輪郭を示す説明図である。
【図８】外歯車の外歯開口端部における内歯車の歯に対する外歯車の歯のかみ合いを示す説明図である。
【図９】（ａ）は外歯車の主断面における内歯車の歯に対する外歯車の歯のかみ合いを示す説明図であり、（ｂ）はその部分拡大図である。
【図１０】外歯車の外歯内端部における内歯車の歯に対する外歯車の歯のかみ合いを示す説明図である。
【発明を実施するための形態】
【００１８】（波動歯車装置の構成）  図１は本発明の対象である波動歯車装置の正面図である。図２（ａ）〜（ｃ）はその可撓性外歯車の開口部を楕円状に撓ませた状況を示す断面図であり、図２（ａ）は変形前の状態、図２（ｂ）は変形後における楕円状曲線の長軸を含む断面、図２（ｃ）は変形後における楕円状曲線の短軸を含む断面をそれぞれ示してある。なお、図２（ａ）〜（ｃ）において実線はカップ状の可撓性外歯車のダイヤフラムおよびボスの部分を示し、破線はシルクハット状の可撓性外歯車のダイヤフラムおよびボスの部分を示す。
【００１９】  これらの図に示すように、波動歯車装置１は、円環状の剛性の内歯車２と、その内側に配置された可撓性の外歯車３と、この内側にはめ込まれた楕円状輪郭の波動発生器４とを有している。内歯車２と、変形前の外歯車３はモジュールｍの平歯車である。内歯車２と外歯車３の歯数差は２ｎ（ｎは正の整数）であり、波動歯車装置１の円形の外歯車３は、楕円状輪郭の波動発生器４によって楕円状に撓められている。楕円状に撓められた外歯車３の長軸Ｌａの方向の両端部分の近傍において、外歯車３の外歯３４（以下、単に、「歯３４」と呼ぶ場合もある。）は内歯車２の内歯２４（以下、単に「歯２４」と呼ぶ場合もある。）にかみ合っている。
【００２０】  波動発生器４を回転すると、両歯車２、３のかみ合い位置が周方向に移動し、両歯車の歯数差に応じた相対回転が両歯車２、３の間に発生する。外歯車３は、可撓性の円筒状胴部３１と、円筒状胴部３１の一方の端である後端３１ｂに連続して半径方向に広がるダイヤフラム３２と、ダイヤフラム３２に連続しているボス３３と、円筒状胴部３１の他方の端である前端開口３１ａの側の外周面部分に形成した外歯３４とを備えている。
【００２１】  楕円状輪郭の波動発生器４は、円筒状胴部３１の外歯形成部分の内周面部分にはめ込まれている。波動発生器４によって、円筒状胴部３１は、そのダイヤフラム側の後端３１ｂから前端開口３１ａに向けて、半径方向の外側あるいは内側への撓み量が漸増している。図２（ｂ）に示すように、楕円状曲線の長軸Ｌａ（図１参照）を含む断面では、外側への撓み量が後端３１ｂから前端開口３１ａへの距離に略比例して漸増する。図２（ｃ）に示すように、楕円状曲線の短軸Ｌｂ（図１参照）を含む断面では、内側への撓み量が後端３１ｂから前端開口３１ａへの距離に略比例して漸増する。前端開口３１ａ側の外周面部分に形成されている外歯３４も、その歯筋方向の外歯内端部３４ｂから外歯開口端部３４ａに向けて、後端３１ｂからの距離に略比例して撓み量が漸増している。
【００２２】  外歯３４の歯筋方向における任意の位置の軸直角断面において、楕円状に撓められる前の外歯３４の歯底リムの厚さ方向の中央を通る円がリム中立円である。これに対して、楕円状に撓められた後の歯底リムの厚さ方向の中央を通る楕円状曲線を、リム中立曲線と呼ぶものとする。楕円状のリム中立曲線の長軸位置におけるリム中立円に対する長軸方向の撓み量ｗは、κ（１を含む実数）を偏位係数として、２κｍｎで表される。
【００２３】  すなわち、外歯車３の外歯３４の歯数をＺＦ、内歯車２の内歯２４の歯数をＺＣ、波動歯車装置１の減速比をＲ（＝ＺＦ／（ＺＣ−ＺＦ）＝ＺＦ／２ｎ）とし、外歯車３のピッチ円直径ｍＺＦを減速比Ｒで除した値（ｍＺＦ／Ｒ＝２ｍｎ）を長軸方向の正規（標準）の撓み量ｗＯとする。波動歯車装置１は、一般に、その外歯車３の歯筋方向における波動発生器４のウエーブベアリングのボール中心が位置する部位、通常は外歯の歯筋方向の中央部の位置において、正規の撓み量ｗＯ（＝２ｍｎ）で撓むように設計される。
【００２４】  偏位係数κは、外歯車３の歯幅方向の各軸直角断面における撓み量ｗを正規の撓み量で除した値を表す。したがって、外歯３４において、正規の撓み量ｗＯが得られる位置の偏位係数はκ＝１であり、これよりも少ない撓み量ｗの断面位置の偏位係数はκ＜１となり、これよりも多い撓み量ｗの断面位置の偏位係数はκ＞１となる。外歯３４における正規の撓み量ｗＯ（κ＝１）が得られる歯形を無偏位歯形と呼び、正規の撓み量よりも少ない撓み量（κ＜１）が得られる歯形を負偏位歯形と呼び、正規の撓み量よりも多い撓み量（κ＞１）が得られる歯形を正偏位歯形と呼ぶ。本例では、外歯３４の歯筋方向の中央部の軸直角断面をκ＝１の主断面３４ｃに設定している。
【００２５】  図３Ａは波動歯車装置１の両歯車２、３の相対運動をラックで近似した場合に得られる、内歯車２の歯２４に対する外歯車３の歯３４の移動軌跡を示す図である。図において、ｘ軸はラックの併進方向、ｙ軸はそれに直角な方向を示す。ｙ軸の原点は移動軌跡の振幅の平均位置としてある。曲線Ｍａは、外歯開口端部３４ａにおいて得られる移動軌跡であり、曲線Ｍｂは外歯内端部３４ｂにおいて得られる移動軌跡である。曲線Ｍｃは、歯筋方向における外歯開口端部３４ａから外歯内端部３４ｂまでの間の任意の位置、本例では歯筋方向の中央部において得られる移動軌跡である。以下、この位置の軸直角断面を主断面３４ｃと呼ぶ。内歯車２の歯２４に対する外歯車３の歯３４の移動軌跡は、次式で示される。  ｘＦａ＝０．５ｍｎ（θ−κｓｉｎθ）  ｙＦａ＝κｍｎｃｏｓθ
【００２６】  説明を簡単にするために、モジュールｍ＝１、ｎ＝１（歯数差２ｎ＝２）とすると、上式は次の式１で表される。（式１）  ｘＦａ＝０．５（θ−κｓｉｎθ）  ｙＦａ＝κｃｏｓθ
【００２７】（主断面における歯形の形成方法）  主断面３４ｃ（偏位係数κ＝１）における内歯２４のラック近似による歯末の歯形について説明する。主断面３４ｃにおける内歯２４の歯末歯形を規定するために、外歯３４における主断面３４ｃにおいて得られる移動軌跡Ｍｃを利用する。
【００２８】  まず、図３Ａの主断面３４ｃにおける移動軌跡Ｍｃにおいて、パラメーターθがπから０までの範囲の第１曲線ＡＢを取る。パラメーターθ＝πの位置は移動軌跡Ｍｃの底点であるＢ点であり、パラメーターθ＝０の点Ａは移動曲線Ｍｃの頂点である。次に、第１曲線ＡＢを、Ｂ点を相似の中心としてλ倍（０＜λ＜１）に相似変換して、第１相似曲線ＢＣ（図４Ａ参照）を得る。第１相似曲線ＢＣを、剛性の内歯車２の内歯２４の歯末歯形として採用する。本例では、λ＝０．５に設定されている。
【００２９】  このようにして設定した内歯車２の歯２４の歯末歯形は、次の式２で与えられる。（式２）  ｘＣａ＝０．５｛（１−λ）π＋λ（θ−κｓｉｎθ）｝  ｙＣａ＝κ｛λ（１＋ｃｏｓθ）−１｝    但し、０≦θ≦π
【００３０】  λ＝０．５、κ＝１であるので、これらを式２に代入して、式２Ａが得られる。図４Ａには、式２Ａにより与えられる第１相似曲線ＢＣを示してある。＜内歯車の歯末の歯形＞（式２Ａ）  ｘＣａ＝０．２５（π＋θ−ｓｉｎθ）  ｙＣａ＝０．５（−１＋ｃｏｓθ）    但し、０≦θ≦π
【００３１】  次に、第１相似曲線ＢＣにおけるＢ点とは反対側の端点であるＣ点を中心として、第１相似曲線ＢＣを１８０度回転させて（１−λ）倍に相似変換した曲線を得る。この曲線は次の式３で与えられる。（式３）  ｘ（θ）＝０．５｛（１−λ）（π−θ＋κｓｉｎθ）｝  ｙ（θ）＝κ｛（λ−１）（１−ｃｏｓθ）｝    但し、０≦θ≦π
【００３２】  λ＝０．５、κ＝１であるので、これらを式２に代入して、式３Ａが得られる。（式３Ａ）  ｘ（θ）＝０．２５（π−θ＋ｓｉｎθ）  ｙ（θ）＝０．５（１−ｃｏｓθ）    但し、０≦θ≦π
【００３３】＜外歯車の歯末の歯形＞  ここで、外歯３４の歯末の歯形を次の式３Ｂによって規定する。図４Ｂには式３Ｂで与えられる曲線ＡＤを示してある。
【００３４】（式３Ｂ）  ｘＦａ＝０．２５（π−θ＋ｓｉｎθ−εｃｏｓ（θ／２））  ｙＦａ＝０．５（１−ｃｏｓθ）    但し、０＜ε≦０．１          ０≦θ≦π
【００３５】  この式３Ｂにおいて、εｃｏｓ（θ／２）の項を導入することにより、外歯車３の楕円状のリム中立曲線の長軸Ｌａでの内歯車２とのかみ合いを取り除き、長軸Ｌａでは、楕円状の撓みによる曲げ応力のみが存在することとなり、伝達トルク負荷による引張り応力は長軸Ｌａを離れた箇所で漸増することになる。
【００３６】＜内歯車の歯元歯形の一例＞  両歯車２、３の歯元の歯形は、相手歯車の歯末の歯形と干渉しない任意の歯形とすればよい。例えば、内歯車２の歯元の歯形は、外歯車３の歯末歯形が移動軌跡Ｍｃの頂点から底点まで移動する間に、内歯車２に創成する曲線を、内歯車２の最大歯厚の歯元歯形として定めることができる。この歯元歯形は、次の式４で与えられる。図４Ｃには、式４で与えられる歯元の歯形曲線を示してある。（式４）  ｘＣａ＝０．２５（π−θ＋ｓｉｎθ）  ｙＣａ＝０．５（１−ｃｏｓθ）    但し、０≦θ≦π
【００３７】  同様に、外歯車３の歯末歯形が移動軌跡Ｍｃの頂点から底点まで移動する間に、内歯車２の歯末歯形が外歯車３に創成する曲線を、外歯車３の最大歯厚の歯元歯形として定めることができる。この歯元歯形は次の式５で与えられる。図４Ｄには、式５で与えられる歯元の歯形曲線を示してある。（式５）  ｘＦａ＝π／２−ε／２−０．２５（π−θ＋ｓｉｎθ−εｃｏｓ（θ／２））  ｙＦａ＝−０．５（１−ｃｏｓθ）    但し、０＜ε≦０．１          ０≦θ≦π
【００３８】  図５は、外歯車と内歯車の主断面３４ｃにおける上記の個別の歯形を合わせて規定される外歯歯形３４Ｃおよび内歯歯形２４Ｃを示したものである。
【００３９】（主断面以外の各軸直角断面における歯形）  ここで、フラット型波動歯車装置においては、内歯車２および外歯車３の歯筋方向の各軸直角断面の歯形は上記のように設定された主断面３４ｃにおける歯形と同一である。
【００４０】  これに対して、カップ型波動歯車装置あるいはシルクハット型波動歯車装置では、内歯車２の歯筋方向の各軸直角断面の歯形は上記のように設定された主断面３４ｃの位置における歯形と同一である。しかし、外歯車３における歯筋方向の主断面３４ｃ以外の各軸直角断面の歯形は、主断面３４ｃの歯形に対して各軸直角断面の撓み量に応じた転位が施された転位歯形とされる。
【００４１】  すなわち、外歯車３の主断面３４ｃから外歯開口端部３４ａに至る歯筋方向の各軸直角断面の歯形は、各軸直角断面において外歯３４が描くκ＞１の移動軌跡の頂部が、主断面３４ｃにおけるκ＝１の移動軌跡の頂部に接するように、主断面３４ｃの外歯歯形３４Ｃに転位を施すことによって得られる歯形である。また、外歯３４の主断面３４ｃから外歯内端部３４ｂに至る歯筋方向の各軸直角断面の歯形は、各軸直角断面において外歯３４が描くκ＜１の移動軌跡の底部が主断面３４ｃにおけるκ＝１の移動軌跡の底部に接するように、主断面３４ｃの外歯歯形３４Ｃに転位を施すことによって得られる歯形である。
【００４２】  具体的には、外歯車３における主断面以外の歯筋方向の各断面の歯形形状に関しては次のように設定される。図３Ｂに示すように、主断面３４ｃから外歯開口端部３４ａにかけて偏位係数κ＞１の軸直角断面においては、外歯車３の歯３４の内歯車２の歯２４に対するラック近似による移動軌跡Ｍａ１の頂部が、主断面３４ｃにおける移動軌跡Ｍｃに接するように、外歯車３の歯３４の転位量ｈを、次の諸式で与える。ｈ＝λ（κ）（κ−１）
【００４３】  偏位係数κが１以上の外歯車の軸直角断面における、ラック近似による外歯車３の歯３４の内歯車２の歯２４に対する移動軌跡は、先に述べたように、次式で示される。（式Ａ）ｘＦａ＝０．５（θ―κｓｉｎθ）ｙＦａ＝κｃｏｓθ
【００４４】  移動軌跡上の点に対する移動軌跡への接線の圧力角ακは次式で示される。（式Ｂ）ｔａｎακ＝０．５（１−κｃｏｓθκ）／κｓｉｎθκ
【００４５】  また、κ＝１の移動軌跡上の点に対する接線の圧力角α１は次式で示される。（式Ｃ）ｔａｎα１＝０．５（１−ｃｏｓθ１）／ｓｉｎθ１
【００４６】  これより、両圧力角を等置して次式を得る。（式Ｄ）（１−κｃｏｓθκ）／κｓｉｎθκ  −  （１−ｃｏｓθ１）／ｓｉｎθ１  ＝０
【００４７】  次に、両接点のｘ座標を等置して次式を得る。（式Ｅ）θκ  −  κｓｉｎθκ  −  θ１＋ｓｉｎθ１＝０
【００４８】  ここで、式Ｄと式Ｅを連立させ、θκとθ１を求めれば、転位量ｈが次式で求められる。（式Ｆ）ｈ＝κｃｏｓθκ−ｃｏｓθ１
【００４９】  次に、外歯車３の主断面３４ｃから外歯内端部３４ｂにかけて偏位係数κ＜１の軸直角断面においては、同じく図３Ｂに示すように、外歯車３の歯３４の内歯車２の歯２４に対する移動軌跡Ｍｂ１の底部が、主断面３４ｃにおける移動軌跡Ｍｃの底部に接するように、外歯車３の歯３４の転位を行う。この場合の転位の大きさｈは、次式による。ｈ＝κ−１
【００５０】  図６は、外歯車３の歯筋方向の主断面付近の転位量の一例を示すグラフである。この図の横軸は外歯３４の歯筋方向の中央部（主断面３４ｃ）からの距離を示し、縦軸は転位量ｈを示す。転位量ｈは、同一傾斜の転位直線Ｌ１、Ｌ２で示される。転位直線Ｌ１は主断面３４ｃから外歯開口端部３４ａにかけての転位量を示し、転位直線Ｌ２は主断面３４ｃから外歯内端部３４ｂにかけての転位量を示す。
【００５１】  また、図６には、主断面３４ｃを頂点とし、転位直線Ｌ１、Ｌ２に接する４次曲線Ｃ１が示されている。この４次曲線Ｃ１に基づき各軸直角断面での転位量を決めると、外歯３４における主断面３４ｃを含む歯筋方向の中央部分に実質的な平坦部が形成される。これにより、転位の滑らかな変化が保証され、外歯車３の歯切り時の寸法管理も容易になる。
【００５２】  図７は、内歯２４と、上記のように転位を行った外歯３４の歯筋方向の歯形輪郭を示す説明図である。この図においては、両歯車２、３のかみ合い状態における長軸を含む断面での状態（最深かみ合い状態）を示している。外歯３４の歯筋方向の歯形輪郭は、その主断面３４ｃを含む歯筋方向の中央部分では、上記の４次曲線Ｃ１によって規定され、この中央部分から外歯開口端部３４ａまでの間の部分では、転位直線Ｌ１によって規定され、中央部分から外歯内端部３４ｂまでの間の部分は、転位直線Ｌ２によって規定されている。
【００５３】  図８〜図１０は、上記のように歯形を設定した外歯３４と内歯２４のかみ合いの様相をラック近似で示す説明図である。図８は、外歯３４の外歯開口端部３４ａにおける内歯２４に対する外歯３４のかみ合いを示す。図９（ａ）は外歯３４の主断面３４ｃにおける同様のかみ合いを示し、図９（ｂ）はその部分拡大図である。また、図１０は、外歯３４の外歯内端部３４ｂにおける同様のかみ合いを示す。
【００５４】  これらの図から分かるように、近似的ながら外歯車３の外歯開口端部３４ａから外歯内端部３４ｂにかけて、主断面３４ｃを中心として歯形の有用な接触が行われている。
【００５５】  以上説明したように、本例では、波動歯車装置１の可撓性の外歯車３の歯形に所要の修正を施すことによって、外歯車３における偏位係数κ＝１の軸直角断面（主断面３４ｃ）上において、外歯車３の内歯車２に対するかみ合い位置を、外歯車３の楕円状のリム中立曲線の長軸Ｌａの位置から離し、漸次かみ合いを始めるようにしている。これにより、従来において外歯車の楕円状のリム中立曲線の長軸位置に生じる、撓みによって生じる曲げ応力と、負荷トルクに起因する引張り応力との重畳を避けることができる。このように、２応力（曲げ応力と引張り応力）の分離を実現しているので、フラット型波動歯車装置において偏位係数κ＜１の負偏位撓みを採用することなく、また、カップ型あるいはシルクハット型の波動歯車装置において、その歯筋方向の全体に亘って偏位係数κ＜１の負偏位撓みを採用することなく、波動歯車装置の伝達トルク容量の向上を図ることができる。
【図１】
2017094195.tif 000003
【図２】
2017094195.tif 000004
【図３Ａ】
2017094195.tif 000005
【図３Ｂ】
2017094195.tif 000006
【図４Ａ】
2017094195.tif 000007
【図４Ｂ】
2017094195.tif 000008
【図４Ｃ】
2017094195.tif 000009
【図４Ｄ】
2017094195.tif 000010
【図５】
2017094195.tif 000011
【図６】
2017094195.tif 000012
【図７】
2017094195.tif 000013
【図８】
2017094195.tif 000014
【図９】
2017094195.tif 000015
【図１０】
2017094195.tif 000016
【国際調査報告】
2017094195.tif 000017
2017094195.tif 000018